【手続補正書】
【提出日】平成31年4月9日(2019.4.9)
【手続補正１】
【補正対象書類名】特許請求の範囲
【補正対象項目名】全文
【補正方法】変更
【補正の内容】
【特許請求の範囲】
【請求項１】
アクセサリに設けられた第１のマウントと結合可能な第２のマウントを有し、前記アクセサリを着脱できるマウント装置であって、
前記第２のマウントにおいて、当該第２のマウントに沿って配され、前記アクセサリに設けられた対応する端子との電気的な接続に用いる複数の端子と、
前記複数の端子を保持する端子保持部と、
を有し、
前記端子保持部は、前記第２のマウントの中心軸と平行な方向に段差を備え、
前記複数の端子は、前記アクセサリの内部に設けられた部材を駆動するための電源の供給に用いる第１の端子と、前記第１の端子に対応するグランドレベルを示す第２の端子と、前記マウント装置に装着された前記アクセサリの種類を判別するのに用いる第３の端子と、を備え、
前記端子保持部は、少なくとも、前記中心軸と平行な方向における高さが異なる第１の段と第２の段とを備え、
前記アクセサリを前記マウント装置に装着した状態で、前記第２の段は、前記中心軸と平行な方向において、前記第１の段よりも前記アクセサリ側に突出し、
前記複数の端子のうち、前記第２の段において、前記第１の端子と前記第３の端子は互いに隣り合って配され、前記第２の端子と前記第３の端子は互いに隣って配され、
前記第２の端子は、前記第２の段において、前記第１の端子および前記第３の端子よりも前記第１の段の近くに配され、前記マウント装置を前記アクセサリに装着する際に、前記第１の端子よりも早く、対応する前記アクセサリ側の端子と接続されることを特徴とするマウント装置。
【請求項２】
前記第１のマウントおよび前記第２のマウントのそれぞれは、バヨネット結合により、前記中心軸と平行な方向において、互いに係合可能な爪を備え、
前記第１のマウントに設けられた爪と前記第２のマウントに設けられた爪との相対的な回転方向である、前記マウント装置に対する前記アクセサリの装着方向において、前記第１の段は、前記第２の段よりも手前に位置し、
前記第２の端子は、前記アクセサリの装着方向において、前記第１の端子および前記第３の端子よりも手前側に配されていることを特徴とする請求項１に記載のマウント装置。
【請求項３】
前記マウント装置に装着された前記アクセサリの装着を解除する際に、前記第２の端子は、前記第１の端子よりも遅く、対応するアクセサリ側の端子との接続が解除されることを特徴とする請求項２に記載のマウント装置。
【請求項４】
前記第２の端子は、前記マウント装置に前記アクセサリを装着する際に、前記複数の端子のうちで対応する前記アクセサリ側の端子と最初に接続され、前記マウント装置に装着された前記アクセサリの装着を解除する際に、前記アクセサリ側の端子と最後に接続が解除されることを特徴とする請求項３に記載のマウント装置。
【請求項５】
前記複数の端子は、前記第１の段に配される端子の数と前記第２の段に配される端子の数とが異なることを特徴とする請求項２乃至４の何れか１項に記載のマウント装置。
【請求項６】
前記複数の端子は、前記第１の段よりも前記第２の段に配された端子の数が少ないことを特徴とする請求項５に記載のマウント装置。
【請求項７】
前記複数の端子は、前記アクセサリに設けられた複数の端子と電気的な接続が可能な接点ピンであって、
前記端子保持部の前記第１の段に設けられた端子同士の間の第１のピッチよりも、前記端子保持部の前記第２の段における前記第２の端子と隣接する他のカメラ側端子との間の第２のピッチの方が広く、
前記マウント装置に前記アクセサリを装着する際に、少なくとも、前記第１のピッチが設定された前記複数の端子のそれぞれは、前記アクセサリの前記複数の端子における２つ以上の端子と同時に接触しないことを特徴とする請求項１乃至６の何れか１項に記載のマウント装置。
【請求項８】
前記第２の端子と前記第３の端子との間のピッチは、前記第１のピッチであって、
前記第１の端子と前記第３の端子との間のピッチは、前記第２のピッチであることを特徴とする請求項７に記載のマウント装置。
【請求項９】
前記複数の端子は、前記端子保持部の前記第２の段において、前記第１の端子より前記第１の段から離れて配された第４の端子を備え、
前記第４の端子は、前記第１の端子と隣接しており、
前記第１の端子と前記第４の端子との間のピッチは、前記第２のピッチと同一であることを特徴とする請求項７又は８に記載のマウント装置。
【請求項１０】
前記第４の端子は、前記マウント装置に前記アクセサリが装着された際に、前記マウント装置から前記アクセサリに対して通信用の電源を供給するための端子であることを特徴とする請求項９に記載のマウント装置。
【請求項１１】
前記複数の端子は、前記アクセサリに設けられた複数の端子と電気的な接続が可能な接点面であって、
前記第２の端子は、前記複数の端子の中で、前記第２のマウントに沿った周方向における接点面の幅が最も広いことを特徴とする請求項１乃至６の何れか１項に記載のマウント装置。
【請求項１２】
前記複数の端子は、前記端子保持部の前記第１の段おいて、前記複数の端子の他の端子よりも前記第２の段の近くに配された第５の端子を備え、
前記第５の端子は、前記マウント装置に前記アクセサリが装着されたことを検出するのに用いる請求項１０に記載のマウント装置。
【請求項１３】
前記複数の端子は、前記端子保持部の前記第１の段において、前記複数の端子の他の端子よりも前記第２の段から離れて配された第６の端子を備え、
前記第６の端子は、前記第４の端子に対応するグランドレベルを示すのに用いる請求項１２に記載のマウント装置。
【請求項１４】
前記複数の端子は、前記端子保持部の前記第１の段において、第７の端子、第８の端子、第９の端子、第１０の端子、第１１の端子、第１２の端子を備え、
前記第７〜１２の端子は、通信に用いる端子であって、それぞれが前記第５の端子と前記第６の端子の間に配されていることを特徴とする請求項１３に記載のマウント装置。
【請求項１５】
前記マウント装置は、撮像装置またはアダプタ装置に設けられていることを特徴とする請求項１乃至１４の何れか一項に記載のマウント装置。
【請求項１６】
マウント装置に設けられた第１のマウントと結合可能な第２のマウントを有し、前記マウント装置に着脱できるアクセサリであって、
前記第２のマウントにおいて、当該第２のマウントに沿って配され、前記マウント装置に設けられた対応する端子との電気的な接続に用いる複数の端子と、
前記複数の端子を保持する端子保持部と、
を有し、
前記端子保持部は、第２のマウントの中心軸と平行な方向に段差を備え、
前記複数の端子は、前記マウント装置側から前記アクセサリの内部に設けられた部材を駆動するための電源の供給に用いる第１の端子と、前記第１の端子に対応するグランドレベルを示す第２の端子と、前記マウント装置に前記アクセサリが装着された状態で、前記アクセサリの種類を判別するのに用いる第３の端子と、を備え、
前記端子保持部は、少なくとも、前記中心軸と平行な方向における高さが異なる第１の段と第２の段とを備え、
前記アクセサリが前記マウント装置に装着された状態で、前記第１の段は、前記第２の段よりも前記マウント装置側に突出しており、
前記複数の端子のうち、前記第２の段において、前記第１の端子と前記第３の端子は互いに隣り合って配され、前記第２の端子と前記第３の端子は互いに隣って配され、前記第２の端子は、前記第２の段において、前記第１の端子および前記第３の端子よりも前記第１の段の近くに配され、前記アクセサリを前記マウント装置に装着する際に、前記第１の端子よりも早く、対応する前記マウント装置の端子と接続されることを特徴とするアクセサリ。
【請求項１７】
前記第１のマウントおよび前記第２のマウントのそれぞれは、バヨネット結合により、前記中心軸と平行な方向において、互いに係合可能な爪を備え、
前記第１のマウントに設けられた爪と前記第２のマウントに設けられた爪との相対的な回転方向である、前記マウント装置に対する前記アクセサリの装着方向において、前記第１の段は、前記第２の段よりも手前に位置し、
前記第２の端子は、前記アクセサリの装着方向において、前記第１の端子および前記第３の端子よりも手前側に配されていることを特徴とする請求項１６に記載のアクセサリ。
【請求項１８】
前記マウント装置に装着された前記アクセサリの装着を解除する際に、前記第２の端子は、前記第１の端子よりも遅く、対応する前記マウント装置側の端子との接続が最後に解除されることを特徴とする請求項１７に記載のアクセサリ。
【請求項１９】
前記第２の端子は、前記アクセサリを前記マウント装置に装着する際に、前記複数の端子のうちで対応する前記アクセサリ側の端子と最初に接続され、前記マウント装置に装着された前記アクセサリの装着を解除する際に、最後に接続が解除されることを特徴とする請求項１８に記載のアクセサリ。
【請求項２０】
前記複数の端子は、前記第１の段に配される端子の数と前記第２の段に配される端子の数とが異なることを特徴とする請求項１７乃至１９の何れか１項に記載のアクセサリ。
【請求項２１】
前記複数の端子は、前記第１の段よりも前記第２の段に配された端子の数が少ないことを特徴とする請求項２０に記載のアクセサリ。
【請求項２２】
前記複数の端子は、前記マウント装置に設けられた前記複数の端子と電気的な接続が可能な接点面であって、
前記第２の端子は、前記マウント装置の前記複数の端子のうちで、前記第２のマウントに沿った周方向における幅が、最も広いことを特徴とする請求項１６乃至２１の何れか１項に記載のアクセサリ。
【請求項２３】
前記第３の端子の前記周方向における幅は、前記第２の端子の幅よりも狭いことを特徴とする請求項２２に記載のアクセサリ。
【請求項２４】
前記複数の端子は、前記端子保持部の前記第２の段において、前記第１の端子よりも前記第１の段から離れて配された第４の端子を備え、
前記第４の端子は、前記第１の端子と隣接しており、
前記第４の端子の前記周方向における幅は、前記第２の端子の幅よりも狭いことを特徴とする請求項２２又は２３に記載のアクセサリ。
【請求項２５】
前記第４の端子は、前記アクセサリが前記マウント装置に装着された際に、前記マウント装置から前記アクセサリへと通信用の電源を供給するための端子であることを特徴とする請求項２４に記載のアクセサリ。
【請求項２６】
前記複数の端子は、前記端子保持部の前記第１の段において、前記複数の端子の他の端子よりも前記第２の段の近くに配された第５の端子を備え、
前記第５の端子は、前記マウント装置に前記アクセサリが装着されたことを検出するのに用いる請求項２５に記載のアクセサリ。
【請求項２７】
前記複数の端子は、前記端子保持部の前記第１の段において、前記複数の端子の他の端子よりも前記第２の段から離れて配された第６の端子を備え、
前記第６の端子は、前記第４の端子に対応するグランドレベルを示すのに用いる請求項２６に記載のアクセサリ。
【請求項２８】
前記複数の端子は、前記端子保持部の前記第１の段において、通信端子である、第７の端子、第８の端子、第９の端子、第１０の端子、第１１の端子、第１２の端子を備え、
前記第７〜１２の端子は、前記第５の端子と前記第６の端子の間に配されていることを特徴とする請求項２７に記載のアクセサリ。
【請求項２９】
前記アクセサリは、前記マウント装置に着脱可能な交換レンズまたはアダプタ装置であることを特徴とする請求項１６乃至２８の何れか１項に記載のアクセサリ。
【手続補正２】
【補正対象書類名】明細書
【補正対象項目名】発明の名称
【補正方法】変更
【補正の内容】
【発明の名称】マウント装置およびアクセサリ
【手続補正３】
【補正対象書類名】明細書
【補正対象項目名】０００１
【補正方法】変更
【補正の内容】
【０００１】
本発明は、他の機器との電気的な接続が可能な端子をマウントに備えた、マウント装置およびアクセサリに関する。
【手続補正４】
【補正対象書類名】明細書
【補正対象項目名】０００７
【補正方法】変更
【補正の内容】
【０００７】
本発明の目的は、電気的な接続に係る信頼性の低下を抑制しつつ、マウント装置およびアクセサリの電気回路に与える影響が小さくなるように各端子の配置を決定することである。
【手続補正５】
【補正対象書類名】明細書
【補正対象項目名】０００８
【補正方法】変更
【補正の内容】
【０００８】
上記目的を達成するために、本発明のマウント装置は、アクセサリに設けられた第１のマウントと結合可能な第２のマウントを有し、前記アクセサリを着脱できるマウント装置であって、前記第２のマウントにおいて、当該第２のマウントに沿って配され、前記アクセサリに設けられた対応する端子との電気的な接続に用いる複数の端子と、前記複数の端子を保持する端子保持部と、を有し、前記端子保持部は、前記第２のマウントの中心軸と平行な方向に段差を備え、前記複数の端子は、前記アクセサリの内部に設けられた部材を駆動するための電源の供給に用いる第１の端子と、前記第１の端子に対応するグランドレベルを示す第２の端子と、前記マウント装置に装着された前記アクセサリの種類を判別するのに用いる第３の端子と、を備え、前記端子保持部は、少なくとも、前記中心軸と平行な方向における高さが異なる第１の段と第２の段とを備え、前記アクセサリを前記マウント装置に装着した状態で、前記第２の段は、前記中心軸と平行な方向において、前記第１の段よりも前記アクセサリ側に突出し、前記複数の端子のうち、前記第２の段において、前記第１の端子と前記第３の端子は互いに隣り合って配され、前記第２の端子と前記第３の端子は互いに隣って配され、前記第２の端子は、前記第２の段において、前記第１の端子および前記第３の端子よりも前記第１の段の近くに配され、前記マウント装置を前記アクセサリに装着する際に、前記第１の端子よりも早く、対応する前記アクセサリ側の端子と接続されることを特徴とする。
【手続補正６】
【補正対象書類名】明細書
【補正対象項目名】０００９
【補正方法】変更
【補正の内容】
【０００９】
本発明によれば、電気的な接続に係る信頼性の低下を抑制し、マウント装置およびアクセサリの電気回路に与える影響が小さくなるように各端子の配置を決定することができる。